【事件の表示】
　特許第５５９１４１５号に関する訂正審判事件について、次のとおり審決する。
【結　論】
　特許第５５９１４１５号の請求の範囲を本件審判請求書に添付した訂正請求書に添付した訂正特許請求の範囲のとおり訂正することを認める。
【理　由】
第１　手続の経緯 
 　 
　本件審判に係る特許第５５９１４１５号（以下、「本件特許」という。）は、平成２５年９月１７日を国際出願日とする特願２０１３−５５２７８３号（優先権主張　平成２４年９月２０日）の一部を分割出願とする特願２０１４−２０１４０号の一部を更に分割して、平成２６年６月１９日に特願２０１４−１２６６８０号として新たに出願されたものであり、その後、平成２６年８月８日に特許権の設定登録がなされたものであり、平成３０年１月１２日に本件特許についての訂正審判が請求され、平成３０年２月６日付けで訂正拒絶理由が通知され、平成３０年３月９日に意見書及び手続補正書が提出されたものである。
第２　請求の趣旨  
 　 
　本件訂正審判の請求の趣旨は、本件特許の特許請求の範囲を本件審判請求書に添付した訂正特許請求の範囲のとおり訂正することを認める、との審決を求めるものである。 
第３　訂正事項 
１　本件審判請求書で請求人が求めている訂正（以下「本件訂正」という。）は、次のとおりである。（当審注．訂正箇所に下線を付した。）
（１）訂正事項１ 
　設定登録時の特許請求の範囲の請求項１に、
「第１のユーザ及び第２のユーザの所持オブジェクトを記憶する記憶手段と、前記第１のユーザから前記第２のユーザへオブジェクトの譲渡がなされた場合に、前記第２のユーザについて特典付与条件が成立したか否かを判定する判定手段と、前記第２のユーザについて前記特典付与条件が成立したと判定された場合に、前記第２のユーザに所定の特典を付与する特典付与手段と、前記第１のユーザから前記第２のユーザへオブジェクトの譲渡がなされた場合に、前記第２のユーザに、前記オブジェクトの譲渡がなされた旨を通知すること、及び、前記第２のユーザに所定の特典が付与された場合に、前記第２のユーザに、前記所定の特典が付与された旨を通知すること、の少なくともいずれか一方を行う通知手段と、を有することを特徴とするコンピュータ。」と記載されているのを、
「第１のユーザ及び第２のユーザの所持オブジェクトを記憶する記憶手段と、
投稿されたメッセージを含むメッセージ画面を表示させるためのデータと、前記メッセージ画面に含まれる所定ボタンが選択されたことによって表示される、複数の入手可能なオブジェクトの中から入手するオブジェクトを選択するためのオブジェクト入手画面を表示させるためのデータと、選択された譲渡するオブジェクトを選択された譲渡先のユーザに譲渡することを要求するためのオブジェクト譲渡画面を表示させるためのデータと、を前記第１のユーザの端末に送信する手段と、前記オブジェクト入手画面で選択されたオブジェクトを前記第１のユーザに付与する手段と、前記オブジェクト譲渡画面で譲渡するオブジェクトとされたオブジェクトを、前記オブジェクト譲渡画面で譲渡先のユーザとされた前記第２のユーザに前記第１のユーザから譲渡する手段と、前記メッセージ画面から入力されたメッセージであって、前記オブジェクト譲渡画面で譲渡先のユーザとされた前記第２のユーザの端末に送信する前記メッセージを受信する手段と、
であって、前記特典付与条件は複数あり、そのうちの少なくとも１つは、前記第２のユーザが譲受したオブジェクトの数及び種類に関するものである、判定手段
（２）訂正事項２
　設定登録時の特許請求の範囲の請求項５に
「第１のユーザ及び第２のユーザの所持オブジェクトを記憶する記憶手段を有するコンピュータが、前記第１のユーザから前記第２のユーザへオブジェクトの譲渡がなされた場合に、前記第２のユーザについて特典付与条件が成立したか否かを判定し、前記第２のユーザについて前記特典付与条件が成立したと判定された場合に、前記第２のユーザに所定の特典を付与し、前記第１のユーザから前記第２のユーザへオブジェクトの譲渡がなされた場合に、前記第２のユーザに、前記オブジェクトの譲渡がなされた旨を通知すること、及び、前記第２のユーザに所定の特典が付与された場合に、前記第２のユーザに、前記所定の特典が付与された旨を通知すること、の少なくともいずれか一方を行う、ことを含むことを特徴とする特典付与方法。」と記載されているのを、
「第１のユーザ及び第２のユーザの所持オブジェクトを記憶する記憶手段を有するコンピュータが、
投稿されたメッセージを含むメッセージ画面を表示させるためのデータと、前記メッセージ画面から遷移される、複数の入手可能なオブジェクトの中から入手するオブジェクトを選択するためのオブジェクト入手画面を表示させるためのデータと、前記メッセージ画面から遷移される、選択された譲渡するオブジェクトを選択された譲渡先のユーザに譲渡することを要求するためのオブジェクト譲渡画面を表示させるためのデータと、を前記第１のユーザの端末に送信し、前記オブジェクト入手画面で選択されたオブジェクトを前記第１のユーザに付与し、前記オブジェクト譲渡画面で譲渡するオブジェクトとされたオブジェクトを、前記オブジェクト譲渡画面で譲渡ユーザとされた前記第２のユーザに前記第１のユーザから譲渡し、前記メッセージ画面から、前記メッセージ画面に含まれる投稿ボタンが選択されたことに応じて、前記メッセージ画面に含まれるメッセージ入力欄に入力されたメッセージであって、前記オブジェクト譲渡画面で譲渡先のユーザとされた前記第２のユーザの端末に送信する前記メッセージを受信し、
することであって、前記特典付与条件は複数あり、そのうちの少なくとも１つは、前記第２のユーザが譲受したオブジェクトの数及び種類に関するものであり
（３）訂正事項３
　設定登録時の特許請求の範囲の請求項６に
「第１のユーザ及び第２のユーザの所持オブジェクトを記憶する記憶手段を有するコンピュータにおける制御プログラムであって、前記コンピュータに、前記第１のユーザから前記第２のユーザへオブジェクトの譲渡がなされた場合に、前記第２のユーザについて特典付与条件が成立したか否かを判定し、前記第２のユーザについて前記特典付与条件が成立したと判定された場合に、前記第２のユーザに所定の特典を付与し、前記第１のユーザから前記第２のユーザへオブジェクトの譲渡がなされた場合に、前記第２のユーザに、前記オブジェクトの譲渡がなされた旨を通知すること、及び、前記第２のユーザに所定の特典が付与された場合に、前記第２のユーザに、前記所定の特典が付与された旨を通知すること、の少なくともいずれか一方を行う、ことを実行させることを特徴とする制御プログラム。」と記載されているのを、
「第１のユーザ及び第２のユーザの所持オブジェクトを記憶する記憶手段を有するコンピュータにおける制御プログラムであって、前記コンピュータに、
投稿されたメッセージを含むメッセージ画面を表示させるためのデータと、前記メッセージ画面から遷移される、複数の入手可能なオブジェクトの中から入手するオブジェクトを選択するためのオブジェクト入手画面を表示させるためのデータと、前記メッセージ画面から遷移される、選択された譲渡するオブジェクトを選択された譲渡先のユーザに譲渡することを要求するためのオブジェクト譲渡画面を表示させるためのデータと、を前記第１のユーザの端末に送信し、前記オブジェクト入手画面で選択されたオブジェクトを前記第１のユーザに付与し、前記オブジェクト譲渡画面で譲渡するオブジェクトとされたオブジェクトを、前記オブジェクト譲渡画面で譲渡ユーザとされた前記第２のユーザに前記第１のユーザから譲渡し、前記メッセージ画面から、前記メッセージ画面に含まれる投稿ボタンが選択されたことに応じて、前記メッセージ画面に含まれるメッセージ入力欄に入力されたメッセージであって、前記オブジェクト譲渡画面で譲渡先のユーザとされた前記第２のユーザの端末に送信する前記メッセージを受信し、
することであって、前記特典付与条件は複数あり、そのうちの少なくとも１つは、前記第２のユーザが譲受したオブジェクトの数及び種類に関するものであり、
２　各訂正事項の整理
　各訂正事項は、それぞれ、下記のとおりに細分することができる。
（１）訂正事項１について 
 　訂正事項１は、設定登録時の請求項１について、下記の訂正事項１アないし訂正事項１オの訂正を行うものである。 
 　 
（訂正事項１ア） 
　「コンピュータ」について、これが更に「投稿されたメッセージを含むメッセージ画面を表示させるためのデータと、前記メッセージ画面に含まれる所定ボタンが選択されたことによって表示される、複数の入手可能なオブジェクトの中から入手するオブジェクトを選択するためのオブジェクト入手画面を表示させるためのデータと、選択された譲渡するオブジェクトを選択された譲渡先のユーザに譲渡することを要求するためのオブジェクト譲渡画面を表示させるためのデータと、を前記第１のユーザの端末に送信する手段」を備えるようにする訂正。
（訂正事項１イ） 
　「コンピュータ」について、これが更に「前記オブジェクト入手画面で選択されたオブジェクトを前記第１のユーザに付与する手段」を備えるようにする訂正。
（訂正事項１ウ） 
　「コンピュータ」について、これが更に「前記オブジェクト譲渡画面で譲渡するオブジェクトとされたオブジェクトを、前記オブジェクト譲渡画面で譲渡先のユーザとされた前記第２のユーザに前記第１のユーザから譲渡する手段」を備えるようにする訂正。
（訂正事項１エ）
　「コンピュータ」について、これが更に「前記メッセージ画面から入力されたメッセージであって、前記オブジェクト譲渡画面で譲渡先のユーザとされた前記第２のユーザの端末に送信する前記メッセージを受信する手段」を備えるようにする訂正。
（訂正事項１オ） 
　「特典付与条件」について、これが、「複数あり、そのうちの少なくとも１つは、前記第２のユーザが譲受したオブジェクトの数及び種類に関するもの」であるようにする訂正。
（２）訂正事項２について 
 　訂正事項２は、設定登録時の請求項５について、下記の訂正事項２アないし訂正事項２オの訂正を行うものである。 
（訂正事項２ア） 
　「特典付与方法」について、これが更に「投稿されたメッセージを含むメッセージ画面を表示させるためのデータと、前記メッセージ画面から遷移される、複数の入手可能なオブジェクトの中から入手するオブジェクトを選択するためのオブジェクト入手画面を表示させるためのデータと、前記メッセージ画面から遷移される、選択された譲渡するオブジェクトを選択された譲渡先のユーザに譲渡することを要求するためのオブジェクト譲渡画面を表示させるためのデータと、を前記第１のユーザの端末に送信」することを含むようにする訂正。
（訂正事項２イ） 
　「特典付与方法」について、これが更に「前記オブジェクト入手画面で選択されたオブジェクトを前記第１のユーザに付与」することを含むようにする訂正。
（訂正事項２ウ） 
　「特典付与方法」について、これが更に「前記オブジェクト譲渡画面で譲渡するオブジェクトとされたオブジェクトを、前記オブジェクト譲渡画面で譲渡ユーザとされた前記第２のユーザに前記第１のユーザから譲渡」することを含むようにする訂正。
（訂正事項２エ） 
　「特典付与方法」について、これが更に「前記メッセージ画面から、前記メッセージ画面に含まれる投稿ボタンが選択されたことに応じて、前記メッセージ画面に含まれるメッセージ入力欄に入力されたメッセージであって、前記オブジェクト譲渡画面で譲渡先のユーザとされた前記第２のユーザの端末に送信する前記メッセージを受信」することを含むようにする訂正。
（訂正事項２オ） 
　「特典付与条件」について、これが、「複数あり、そのうちの少なくとも１つは、前記第２のユーザが譲受したオブジェクトの数及び種類に関するもの」であるようにする訂正。
（３）訂正事項３について 
 　訂正事項３は、設定登録時の請求項６について、下記の訂正事項３アないし訂正事項３オの訂正を行うものである。 
（訂正事項３ア） 
　「特典付与方法」について、これが更に「投稿されたメッセージを含むメッセージ画面を表示させるためのデータと、前記メッセージ画面から遷移される、複数の入手可能なオブジェクトの中から入手するオブジェクトを選択するためのオブジェクト入手画面を表示させるためのデータと、前記メッセージ画面から遷移される、選択された譲渡するオブジェクトを選択された譲渡先のユーザに譲渡することを要求するためのオブジェクト譲渡画面を表示させるためのデータと、を前記第１のユーザの端末に送信」することを含むようにする訂正。
（訂正事項３イ） 
　「コンピュータ」に「実行させる」「制御プログラム」について、これが更に「前記オブジェクト入手画面で選択されたオブジェクトを前記第１のユーザに付与」することを実行させるようにする訂正。
（訂正事項３ウ） 
　「コンピュータ」に「実行させる」「制御プログラム」について、これが更に「前記オブジェクト譲渡画面で譲渡するオブジェクトとされたオブジェクトを、前記オブジェクト譲渡画面で譲渡ユーザとされた前記第２のユーザに前記第１のユーザから譲渡」することを実行させるようにする訂正。
（訂正事項３エ） 
　「コンピュータ」に「実行させる」「制御プログラム」について、これが更に「前記メッセージ画面から、前記メッセージ画面に含まれる投稿ボタンが選択されたことに応じて、前記メッセージ画面に含まれるメッセージ入力欄に入力されたメッセージであって、前記オブジェクト譲渡画面で譲渡先のユーザとされた前記第２のユーザの端末に送信する前記メッセージを受信」することを実行させるようにする訂正。
（訂正事項３オ） 
　「特典付与条件」について、これが更に「複数あり、そのうちの少なくとも１つは、前記第２のユーザが譲受したオブジェクトの数及び種類に関するもの」であるようにする訂正。
第４　当審の判断
１　訂正事項１について
（１）目的要件（特許法第１２６条第１項ただし書）及び新規事項追加禁止要件（同条第５項）について
ア　訂正事項１アについて
　訂正事項１アのうち、「投稿されたメッセージを含むメッセージ画面を表示させるためのデータ」「を前記第１のユーザの端末に送信する手段」については、本件特許の明細書の段落【００４２】〜【００４４】及び図５ａ等に記載された内容に基づいて、当該発明特定事項をコンピュータに対して直列的に付加するものである。
　また、訂正事項１アのうち、「前記メッセージ画面に含まれる所定ボタンが選択されたことによって表示される、複数の入手可能なオブジェクトの中から入手するオブジェクトを選択するためのオブジェクト入手画面を表示させるためのデータ」「を前記第１のユーザの端末に送信する手段」については、本件特許の明細書の段落【００４４】〜【００４６】及び図５ｂ等に記載された内容に基づいて、当該発明特定事項をコンピュータに対して直列的に付加するものである。
　さらに、訂正事項１アのうち、「選択された譲渡するオブジェクトを選択された譲渡先のユーザに譲渡することを要求するためのオブジェクト譲渡画面を表示させるためのデータ」「を前記第１のユーザの端末に送信する手段」については、本件特許の明細書の段落【００５３】、【００５４】及び図５ｃ等に記載された内容に基づいて、当該発明特定事項をコンピュータに対して直列的に付加するものである。
　よって、訂正事項１アは、特許請求の範囲の減縮を目的とするものであり、かつ、本件特許の明細書、特許請求の範囲又は図面に記載した事項の範囲内においてなされたものである。
イ　訂正事項１イについて
　訂正事項１イは、本件特許の明細書の段落【００４６】〜【００４９】等に記載された内容に基づいて、「前記オブジェクト入手画面で選択されたオブジェクトを前記第１のユーザに付与する手段」なる発明特定事項をコンピュータに対して直列的に付加するものである。
　よって、訂正事項１イは、特許請求の範囲の減縮を目的とするものであり、かつ、本件特許の明細書、特許請求の範囲又は図面に記載した事項の範囲内においてなされたものである。
ウ　訂正事項１ウについて
　訂正事項１ウは、本件特許の明細書の段落【００５４】〜【００５８】等に記載された内容に基づいて、「前記オブジェクト譲渡画面で譲渡するオブジェクトとされたオブジェクトを、前記オブジェクト譲渡画面で譲渡先のユーザとされた前記第２のユーザに前記第１のユーザから譲渡する手段」なる発明特定事項をコンピュータに対して直列的に付加するものである。
　よって、訂正事項１ウは、特許請求の範囲の減縮を目的とするものであり、かつ、本件特許の明細書、特許請求の範囲又は図面に記載した事項の範囲内においてなされたものである。
エ　訂正事項１エについて
　訂正事項１エは、本件特許の明細書の段落【００４４】、【００５７】、【０１０６】〜【０１２０】等に記載された内容に基づいて、「前記メッセージ画面から入力されたメッセージであって、前記オブジェクト譲渡画面で譲渡先のユーザとされた前記第２のユーザの端末に送信する前記メッセージを受信する手段」なる発明特定事項をコンピュータに対して直列的に付加するものである。
　よって、訂正事項１エは、特許請求の範囲の減縮を目的とするものであり、かつ、本件特許の明細書、特許請求の範囲又は図面に記載した事項の範囲内においてなされたものである。
オ　訂正事項１オについて
　訂正事項１オは、本件特許の明細書の段落【００１３】、【０１２１】、【０１２２】等に記載された内容に基づいて、「特典付与条件」に対して、これが更に「複数あり、そのうちの少なくとも１つは、前記第２のユーザが譲受したオブジェクトの数及び種類に関するもの」なる発明特定事項を直列的に付加するものである。
　よって、訂正事項１オは、特許請求の範囲の減縮を目的とするものであり、かつ、本件特許の明細書、特許請求の範囲又は図面に記載した事項の範囲内においてなされたものである。
カ　小括 
　してみると、訂正事項１は、目的要件及び新規事項追加禁止要件に適合するものである。 
（２）実質拡張変更禁止要件（特許法第１２６条第６項）について　 
　（１）で上述したとおり、訂正事項１は、発明特定事項を直列的に付加するものであるから、特許請求の範囲を減縮するものであってこれを実質的に拡張し又は変更するものではない。 
　よって、訂正事項１は、実質変更拡張禁止要件に適合するものである。 
 　 
（３）独立特許要件（特許法第１２６条第７項）について 
　本件訂正１は、上記（１）及び（２）で言及した様に、目的要件、新規事項追加禁止要件、及び、実質変更拡張禁止要件に適合するものであり、独立特許要件に違反する事項も見いだせないから、訂正後の請求項１に係る発明について独立して特許を受けることができないとすべき事情は見当たらない。 
　よって、訂正事項１は、独立特許要件に適合するものである。 
 　 
２　訂正事項２及び訂正事項３について 
　本件特許の特許請求の範囲の請求項５及び請求項６にかかる発明は、「コンピュータ」という物の発明である請求項１に係る発明を方法発明及びプログラム発明としたものであって、請求項５に係る訂正事項２、請求項６に係る訂正事項３の実質的な内容は、請求項１に係る訂正事項１と対応する内容のものである。 
　よって、訂正事項２及び訂正事項３も、訂正事項１について前記「１」で示したのと同様に、目的要件、新規事項追加禁止要件、実質拡張変更禁止要件、及び、独立特許要件に適合するものである。 
 　 
第５　むすび 
　以上のとおり、本件訂正は、特許法第１２６条第１項ただし書第１号に掲げる事項を目的とするものであり、かつ、同条第５項ないし第７項までの規定に適合するものである。 　 
　よって、結論のとおり審決する。